(57)【要約】【課題】ノイズに起因する情報検出精度の低下を抑制できるカメラを提供する。【解決手段】本発明のカメラ１は、制御装置１４が、スルー画像表示および撮影時においては撮像レンズ２０から入力される光透過特性情報に基づいて、被写体輝度と出力との対応関係が均一になるように評価値出力を補正する一方、ＡＦ制御に用いる情報を得るためのＡＦ用撮像時には光透過特性に基づく評価値出力の補正を行わず、適用するＡＦエリア３を含む分割領域を適正露出とする。【選択図】図１
2013016927.tif 000002
【特許請求の範囲】
【請求項１】
撮像光学系による結像を撮像する撮像手段と、
前記撮像光学系の光透過特性情報を取得する透過特性取得部と、
前記撮像手段への入射光を測光して光量情報を生成する測光部と、
前記光透過特性情報に基づいて前記光量情報を補正した補正光量情報を生成する補正部と、
前記補正部による補正前の光量情報に基づく第１の制御と前記補正部によって補正された補正光量情報に基づく第２の制御とを行う制御部と、
を備えることを特徴とするカメラ。
【請求項２】
撮像光学系による結像を撮像する撮像手段と、
前記撮像光学系の光透過特性情報を取得する透過特性取得部と、
前記撮像手段への入射光を測光して光量情報を生成する測光部と、
前記光透過特性情報に基づいて前記光量情報を補正した第１の補正光量情報と当該第１の補正光量情報とは異なる第２の補正光量情報とを生成する補正部と、
前記補正部による第１の補正光量情報に基づく第１の制御と前記第２の補正光量情報に基づく第２の制御とを行う制御部と、
を備えることを特徴とするカメラ。
【請求項３】
請求項１または２に記載のカメラであって、
前記第１の制御は合焦制御であり、
前記第２の制御はスルー表示撮像制御およびまたは撮影制御であること、
を特徴とするカメラ。
【請求項４】
請求項１〜３のいずれか１項に記載のカメラであって、
前記撮像光学系の光透過特性情報は、マウント部を介して前記透過特性取得部に入力されること、
を特徴とするカメラ。
【請求項５】
請求項１〜４のいずれか１項に記載のカメラであって、
前記撮像光学系の光透過特性情報は、周辺減光に関する情報であること、
を特徴とするカメラ。
【請求項６】
請求項１〜４のいずれか１項に記載のカメラであって、
前記撮像光学系の光透過特性情報は、絞り開口量に関する情報であること、
を特徴とするカメラ。
【請求項７】
請求項１〜６のいずれか１項に記載のカメラであって、
前記補正部は、前記撮像手段における撮像領域の略全域において被写体光量に対する出力が略均一となるように減光部位に利得を加えること、
を特徴とするカメラ。
【請求項８】
請求項３に記載のカメラであって、
前記制御部は、前記第１の制御において、前記測光部における光量情報量に応じて、前記撮像手段における蓄積時間、前記撮像手段における感度、前記結像光学系における絞り開口、のいずれかまたはこれらを複合的に変化させること、
を特徴とするカメラ。
【発明の詳細な説明】
【技術分野】
【０００１】
本発明は、撮像素子を備えるカメラに関するものである。
【背景技術】
【０００２】
デジタルカメラは、撮像光学系によって結像した被写体像をＣＣＤやＣＭＯＳ等の撮像素子によって電気信号に変換して画像情報を得る（デジタル画像を撮影する）。
撮像光学系は、レンズ等の複数の透過光学素子によって構成される。このため、それら光学素子の透過特性や収差の集積等によって、明るさが均一の対象面を結像させた場合であっても結像面における光量に不均一を生ずることがある。
【０００３】
ここで、撮像素子の受光量に基づいて測光制御を行うカメラにおいて、測光演算を行う際に、画面周辺部などの光量低下（周辺減光）部分に対して、撮影レンズの光軸中心からの距離に応じた補正値を加味し、周辺減光による撮影露出への影響を抑える補正処理を行うものが知られている（たとえば、特許文献１参照）。
【先行技術文献】
【特許文献】
【０００４】
【特許文献１】特開２０１１−６１６５９号公報
【発明の概要】
【発明が解決しようとする課題】
【０００５】
しかし、撮像素子の出力に対して周辺減光等の補正を行うと、本来周辺減光により低出力となっている画面周辺部においてノイズレベルが増幅されてしまう。その結果、増幅されたノイズが、たとえば、フォーカス検出精度等、画像から検出する情報の精度が低下する可能性がある。
【０００６】
本発明の課題は、ノイズに起因する情報検出精度の低下を抑制できるカメラを提供することである。
【課題を解決するための手段】
【０００７】
本発明は、以下のような解決手段により前記課題を解決する。なお、理解を容易にするために、本発明の実施形態に対応する符号を付して説明するが、これに限定されるものではない。
【０００８】
請求項１に記載の発明は、撮像光学系（２２）による結像を撮像する撮像手段（１１）と、前記撮像光学系（２２）の光透過特性情報を取得する透過特性取得部（１４Ａ）と、前記撮像手段（１１）への入射光を測光して光量情報を生成する測光部（１４Ｂ）と、前記光透過特性情報に基づいて前記光量情報を補正した補正光量情報を生成する補正部（１４Ｃ）と、前記補正部（１４Ｃ）による補正前の光量情報に基づく第１の制御と前記補正部（１４Ｃ）によって補正された補正光量情報に基づく第２の制御とを行う制御部（１４Ｄ）と、を備えることを特徴とするカメラ（１）である。
請求項２に記載の発明は、撮像光学系（２２）による結像を撮像する撮像手段（１１）と、前記撮像光学系（２２）の光透過特性情報を取得する透過特性取得部と、前記撮像手段（１１）への入射光を測光して光量情報を生成する測光部（１４Ｂ）と、前記光透過特性情報に基づいて前記光量情報を補正した第１の補正光量情報と当該第１の補正光量情報とは異なる第２の補正光量情報とを生成する補正部（１４Ｃ）と、前記補正部（１４Ｃ）による第１の補正光量情報に基づく第１の制御と前記第２の補正光量情報に基づく第２の制御とを行う制御部（１４Ｄ）と、を備えることを特徴とするカメラ（１）である。
請求項３に記載の発明は、請求項１または２に記載のカメラであって、前記第１の制御は合焦制御であり、前記第２の制御はスルー表示撮像制御およびまたは撮影制御であること、を特徴とするカメラ（１）である。
請求項４に記載の発明は、請求項１〜３のいずれか１項に記載のカメラであって、前記撮像光学系（２２）の光透過特性情報は、マウント部（１０Ｍ）を介して前記透過特性取得部（１４Ａ）に入力されること、を特徴とするカメラ（１）である。
請求項５に記載の発明は、請求項１〜４のいずれか１項に記載のカメラであって、前記撮像光学系（２２）の光透過特性情報は、周辺減光に関する情報であること、を特徴とするカメラである。
請求項６に記載の発明は、請求項１〜４のいずれか１項に記載のカメラであって、前記撮像光学系（２２）の光透過特性情報は、絞り開口量に関する情報であること、を特徴とするカメラである。
請求項７に記載の発明は、請求項１〜６のいずれか１項に記載のカメラであって、前記補正部（１４Ｃ）は、前記撮像手段（１１）における撮像領域の略全域において被写体光量に対する出力が略均一となるように減光部位に利得を加えること、を特徴とするカメラ（１）である。
請求項８に記載の発明は、請求項３に記載のカメラであって、前記制御部（１４Ｄ）は、前記第１の制御において、前記測光部（１４Ｂ）における光量情報量に応じて、前記撮像手段（１１）における蓄積時間、前記撮像手段における感度、前記結像光学系（２２）における絞り開口、のいずれかまたはこれらを複合的に変化させること、を特徴とするカメラ（１）である。
【発明の効果】
【０００９】
本発明によれば、ノイズに起因する情報検出精度の低下を抑制できるカメラを提供できる。
【図面の簡単な説明】
【００１０】
【図１】本発明の一実施形態を適用したカメラの概略図である。
【図２】制御装置の露出制御に係る機能ブロック図である。
【図３】制御装置による露出制御に係るフローチャートである。
【図４】評価値を得る分割領域と評価値出力を示し、（ａ）は分割領域を示す図、（ｂ）は周辺減光による評価値出力を示すグラフである。
【図５】撮影時露出制御における周辺減光補正の概念を説明するグラフである。
【図６】ＡＦ用露出制御における収束判定を説明するグラフである。
【図７】出力増幅と撮影条件の変化とにおける出力に対するノイズの差を説明するグラフである。
【発明を実施するための形態】
【００１１】
以下、図面等を参照して、本発明の実施形態について説明する。
図１は、本発明の一実施形態を適用したカメラ１の概略図である。
なお、図には、説明と理解を容易にするために、ＸＹＺ直交座標系を設けた。この座標系では、撮影者が光軸ＯＡを水平として横長の画像を撮影する場合のカメラの位置（以下、正位置という）において撮影者から見て左側に向かう方向をＸ軸プラス方向、正位置において上側に向かう方向をＹ軸プラス方向、正位置において被写体に向かう方向をＺ軸プラス方向とする。また、軸方向の被写体に向かうＺ軸プラス方向を前面側、Ｚ軸マイナス方向を背面側ともいう。
【００１２】
カメラ１は、カメラ本体１０と、撮像レンズ２０と、によって構成された、オートフォーカス（以下ＡＦと略称する）機能を有するいわゆるデジタル一眼レフカメラである。撮像レンズ２０は、カメラ本体１０のボディマウント１０Ｍに着脱可能に装着される。これにより、カメラ１は、用途に応じて、異なる撮像レンズ２０を交換して撮影することができるようになっている。
【００１３】
カメラ本体１０は、撮像素子１１、レリーズボタン１２、表示部１３および制御装置１４等を備えている。
撮像素子１１は、たとえば、ＣＣＤ等の撮像素子によって構成されており、撮影光学系（カメラ本体１０に装着された撮像レンズ２０）によって結像された被写体像を電気信号に変換する。
レリーズボタン１２は、図示しないレリーズスイッチと連動しており、操作者によって押圧操作され、制御装置１４に撮影指令を行う。
【００１４】
表示部１３は、液晶等の表示パネルにより構成され、カメラ本体１０の背面側外面（撮影者側）に設けられている。表示部１３は、撮影画像や撮影に関する情報等を表示する。本実施形態におけるカメラ１（カメラ本体１０）は、いわゆるライブビュー機能を備えており、撮像素子１１による撮像をリアルタイムで表示部１３に表示する。つまり、表示部１３によるスルー画像表示によって撮影範囲を決定して（表示部１３をファインダーとして）撮影することができるようになっている。
【００１５】
制御装置１４は、ＣＰＵ等を備えて構成され、カメラ本体１０の各作動部を制御する。また、制御装置１４は、ボディマウント１０Ｍに設けられた接続端子１０Ｔを介して後述する撮像レンズ２０のレンズ制御部２４と情報交換し、撮像レンズ２０の各作動部を制御する。すなわち、制御装置１４は、カメラ１全体の動作を制御する。
【００１６】
撮像レンズ２０は、鏡筒２１の内部に、撮影光学系を構成するレンズ群２２（第１レンズ群２２Ａ，第２レンズ群２２Ｂ）と、絞りユニット２３およびレンズ制御部２４等を備えている。
第２レンズ群２２Ｂは、フォーカシングレンズ群であって、後述するレンズ制御部２４によって制御されるＡＦ駆動機構２５によって光軸ＯＡ方向に移動駆動され、ＡＦ作用を行う。
絞りユニット２３は、レンズ制御部２４によって制御され、開口径を変化させて入射光量を調整する。
【００１７】
レンズ制御部２４は、ＣＰＵ等を備えて構成され、当該撮像レンズ２０が装着されたカメラ本体１０における制御装置１４の制御下で、当該撮像レンズ２０における各作動部（絞りユニット２３およびＡＦ駆動機構２５等）の作動を制御する。
また、レンズ制御部２４は、当該撮像レンズ２０における固有の情報を図示しないメモリに格納保持しており、これらの情報を装着されたカメラ本体１０の制御装置１４に制御情報として出力する。撮像レンズ２０における固有の情報とは、たとえば、焦点距離や開放Ｆ値、および絞り値に応じた光透過特性（周辺減光量）等である。
【００１８】
そして、カメラ１は、レリーズボタン１２が押下操作されると、カメラ本体１０の制御装置１４に制御されて、撮像レンズ２０によって結像された被写体像光を撮像素子１１が電気信号に変換し、その画像データをカメラ本体１０が備える図示しない記録媒体に記録（すなわち撮影）する。また、制御装置１４は、撮影時において、撮像レンズ２０のレンズ制御部２４を介して絞りユニット２３およびＡＦ駆動機構２５等の作動を制御する。
【００１９】
ライブビュー時におけるオートフォーカス制御は、撮像素子１１による撮像情報からＡＦエリアにおける画像のコントラストが最も高い位置を合焦位置と判断するコントラストＡＦによって行う。ＡＦエリアは、画面中に複数散在配設されており、任意または自動で選択可能となっている。
なお、本実施形態のカメラ１（カメラ本体１０）は、機械式のシャッター装置を備えていない。撮影時における撮像素子１１に対する被写体光の露光時間（撮像素子１１が被写体光を蓄積する時間）の調整は、制御装置１４が撮像素子１１を電気的に制御（電子シャッタ制御）して行う。
【００２０】
ここで、制御装置１４は、スルー画像表示および撮影時における露出制御（撮影時露出制御）と、コントラストＡＦ制御に用いるＡＦ用撮像を得る露出制御（ＡＦ用露出制御）とで、異なる露出制御を行う。
【００２１】
つぎに、図２〜図７を参照して、この制御装置１４による露出制御を説明する。
図２は、本実施形態における制御装置１４の露出制御に係る機能ブロック図である。図３は、制御装置１４による露出制御に係るフローチャートである。図４は評価値を得る分割領域と評価値出力を示し、（ａ）は分割領域を示す図、（ｂ）は周辺減光による評価値出力を示すグラフである。図５は、撮影時露出制御における周辺減光補正の概念を説明するグラフであって、（ａ）は補正前、（ｂ）は補正後をそれぞれ示す。図６は、ＡＦ用露出制御における収束判定を説明するグラフである。図７は、出力増幅と撮影条件の変化とにおける出力に対するノイズの差を説明するグラフである。
【００２２】
制御装置１４は、図２に示すように、機能部として、情報取得部１４Ａ、測光部１４Ｂ、補正部１４Ｃ、露出制御部１４Ｄ、を備えている。
情報取得部１４Ａは、撮像レンズ２０におけるレンズ制御部２４が保持する撮像光学系（レンズ群２２）の光透過特性に関する情報を、制御情報として読み込む機能を有する。
測光部１４Ｂは、撮像素子１１による受光情報から露出制御用の光量情報を生成する機能を有する。
補正部１４Ｃは、測光部１４Ｂによる光量情報と情報取得部１４Ａが読み込んだ光透過特性とに基づいて、補正光量情報を生成する機能を有する。
露出制御部１４Ｄは、補正部１４Ｃによる補正光量情報に基づいて、露出制御を行う機能を有する。
【００２３】
つぎに、図３に示すフローチャートの流れに沿って、制御装置１４による露出制御を説明する。なお、以下の説明中における構成要素の符号については、前述した図１および図２参照のこと。また、図４および以下の説明において「ステップ」を「Ｓ」とも略記する。
【００２４】
カメラ１のメインスイッチ（不図示）がＯＮされると、まず、撮像素子１１による電荷蓄積（撮像）を行う（Ｓ３０１）。
このステップ３０１におけるカメラ起動時の初回蓄積では、露出制御に用いるＡＶ，ＴＶ，ＳＶは固定値とし、たとえば、ＡＶ＝５，ＴＶ＝６，ＳＶ＝５とする。そして、その撮像素子１１の出力を画像として取り込む。なお、ＡＶは絞り値、ＴＶは蓄積時間（シャッター速度）、ＳＶは撮像感度である。
【００２５】
つづくステップ３０２では、ステップ３０１で取得した画像から、測光演算に用いるための評価値を算出する（測光部１４Ｂ）。
本実施形態では、図４（ａ）に示すように、評価値は、横６×縦４の２４分割された分割領域２（ｉ，ｊ）毎に出力される。なお、ｉ＝０〜５，ｊ＝０〜３である。各分割領域２の評価値は、各分割領域２内における画素のＹ出力（輝度）を加算したものである。
ＹＣ［ｉ］［ｊ］＝ΣΣＹ［Ｘ］［Ｙ］      …式１
【００２６】
式１中、ＹＣ［ｉ］［ｊ］は、図４（ａ）の各分割領域２における評価値の出力である。Ｙ［Ｘ］［Ｙ］は撮像素子１１の座標Ｘ，ＹにおけるＹ出力値であり、例えば０〜４０９５の値を採る。２つのΣの範囲は、一つ分割領域２の評価値を構成する画素全ての座標範囲である。たとえば、撮像素子１１の画素数が横２４００×縦１６００の場合、ｉが０，ｊが０であれば、Σの範囲はＸ，Ｙともに０〜３９９となる。
【００２７】
つづいて、ステップ３０２で算出した評価値出力を用いて、ＡＦ用測光演算を行う（Ｓ３０３）。本実施形態では、画面中に配設された複数のＡＦエリア（不図示）の内、図４（ａ）中に示すように画面の隅に位置するＡＦエリア３が選択されているものとする。
ＡＦ用測光演算では、ＡＦエリア３を含む（または近傍の）分割領域２（０，３）において測光を行う。
【００２８】
すなわち、ＡＦエリア３を含む分割領域２の明るさ：ＢＶＡＦは、
ＢＶＡＦ＝Ｌｏｇ２（ＹＣ［ｍ］［ｎ］）＋ＢＶＣＯＮＳＴ    …式２
で求められる。
式２中、Ｌｏｇ２（）は底を２とした引数の対数値を返す関数であり、ｍとｎはＡＦエリアを含む分割領域２の評価値の座標であって、本例ではｍ＝０，ｎ＝３である。また、ＢＶＣＯＮＳＴは、撮像出力取得時の絞り、蓄積時間（シャッター速度）、撮像感度によって決まる値である。
【００２９】
つづくステップ３０４では、ステップ３０２において算出した各分割領域２（０〜５，０〜３）の評価値出力に対して、撮像レンズ２０における撮像光学系（レンズ群２２）の光透過特性に起因して発生する評価値の不均一を補正する（補正部１４Ｃ）。
ここで、撮像光学系の光透過特性に起因する評価値の不均一とは、輝度（明るさ）が均一な面を撮影しても、撮像光学系に起因して各分割領域２の評価値に差異が生ずることを言う。特に、口径食や光線が斜めから入射することによって、図４（ｂ）に示すように周辺領域の入射光量が低下するいわゆる周辺減光が大きい。以下、この周辺減光を補正対象として説明する。
【００３０】
ステップ３０４では、情報取得部１４Ａが読み込んだ撮像レンズ２０におけるレンズ制御部２４が保持する撮像光学系（レンズ群２２）の光透過特性に関する情報に基づいて、図５（ａ）に概念的に示すように各分割領域における評価値出力に補正を行い、図５（ｂ）に示すように被写体輝度と出力との対応関係が均一な補正済み評価値出力を得る。なお、図５は、周辺減光による画面周辺部における評価値の低下を補正する例である。
【００３１】
ステップ３０４における評価値の不均一補正は、下記の式で演算される。
ＹＣＺ［ｉ］［ｊ］＝ＹＣ［ｉ］［ｊ］×Ｚ［ｒ］      …式３
式３中、Ｚ［ｒ］は撮像レンズ２０（レンズ制御部２４）からカメラ本体１０（制御装置１４）に入力される光透過特性情報に基づいて決定される補正値であり、ｒはｉ，ｊの座標で特定される評価値の中心と、撮像面上の光軸中心との距離である。
【００３２】
つぎに、ステップＳ３０４で補正した評価値出力に基づいて、撮影制御用測光値の算出を行う（Ｓ３０５）。
撮影制御用測光値：ＢＶは、
ＢＶ＝Ｌｏｇ２（（ΣΣＹＣＺ［ｉ］［ｊ］）／２４）＋ＢＶＣＯＮＳＴ      …式４
によって求められる。
式４中、Ｌｏｇ２（）は底を２とした引数の対数値を返す関数であり、ＢＶＣＯＮＳＴは撮像出力取得時の絞り、蓄積時間（シャッター速度）、撮像感度によって決まる値である。
【００３３】
つづくステップ３０６では、ステップ３０５において算出した撮影制御用測光値に基づいて、撮影時露出制御に係る撮影時露出条件を決定する（露出制御部１４Ｄ）。
ＡＶ＝撮影レンズのＡＶ値      …式５
ＴＶ＝５                      …式６
ＳＶ＝ＡＶ＋ＴＶ−ＢＶ        …式７
このステップ３０６において決定された撮影時露出条件で撮影時露出制御を行って画像を撮影し、スルー画として表示部１３に表示する。ここで決定された撮影時露出条件は、後述するステップ３１４における撮影時にも適用される。
【００３４】
そして、ステップ３０７において、レリーズボタン１２の操作（押下）を判断する。
ステップ３０７でレリーズボタン１０４の押下が判断されなかった場合（Ｎｏ）には、Ｓ３０１からの処理を繰り返す。
【００３５】
ステップ３０７においてレリーズボタン１０４の押下が判断された場合には、ＡＦ露出制御を行う（Ｓ３０８）。
ステップ３０８におけるＡＦ露出制御は、ステップ３０３で算出した測光値に基づいて、ＡＦエリアを含む（または近傍の）分割領域２の測光出力が適正レベルとなるようにＡＦ時露出条件を決定して行う。すなわち、本例では、ＡＦエリア３を含む分割領域２（０，３）において測光出力が適正レベルとなるようにＡＦ時露出条件を決定して行う。
ＡＶ＝撮影レンズのＡＶ値      …式８
ＴＶ＝５                      …式９
ＳＶ＝ＡＶ＋ＴＶ−ＢＶＡＦ      …式１０
【００３６】
そして、ステップ３０８において決定したＡＦ時露出条件に基づいてＡＦ用撮像を行い（Ｓ３０９）、その撮像出力から、ステップ３０２と同様の手順で測光用の評価値を算出し（Ｓ３１０）、ステップ３０３と同様にＡＦ用測光演算を行う（Ｓ３１１）。
【００３７】
つづいて、ステップ３０８〜３１１の処理におけるＡＦ用測光演算結果が収束しているか否かを判定する（Ｓ３１２）。
ステップ３１２における収束判定には、以下の条件式を用いる。
ＳｚＴｈＬｏ＜ＹＣ［ｍ］［ｎ］  かつ  ＹＣ［ｍ］［ｎ］＜ＳｚＴｈＨｉ      …条件式１
上記条件式１中、ＳｚＴｈＬｏとＳｚＴｈＨｉは、ＡＦエリア３近傍の撮像出力がＡＦを駆動するのに適切な出力となっているかを判定するための閾値（固定値）であって、ＳｚＴｈＬｏは下限、ＳｚＴｈＨｉは上限である。
このような条件式１を満たすＡＦ用測光値（収束後の撮像素子１１の出力）は、図６に示すようになる。光透過特性（周辺減光）の補正を行っていないため、画像中央部の出力が高くなり飽和する場合もあるが、ＡＦエリア３を含む分割領域２（０，３）の出力は基準レベルとなる。
【００３８】
ステップ３１２において条件式１を満たしていないと判定された場合（Ｎｏ）には、ＡＦ用測光値を収束させるために、ステップ３０８からステップ３１１を繰り返す。
ステップ３１２において条件式１を満たすと判定された場合（Ｙｅｓ）には、ＡＦエリア３を含む分割領域２（０，３）の撮像出力が適正であると判断し、ＡＦ演算を行い、その演算結果に基づいてＡＦ駆動機構２５を介してフォーカシングレンズである第２レンズ群２２Ｂの駆動を行う（Ｓ３１３）。
ステップ３１３における、撮像出力を用いたＡＦ演算は、前述したように、コントラストＡＦによって行われる。コントラストＡＦの内容については、公知の技術であるため説明は省略する。
【００３９】
ステップ３１３におけるＡＦ動作後、記録画像の撮影を行う（Ｓ３１４）。このステップ３１４における撮影時には、ステップ３０６において決定された撮影時露出条件を用いて撮像素子１１を撮影時露出制御する。
そして、カメラ１の電源ＯＦＦの判断を行う（Ｓ３１５）。このステップ３１５において電源ＯＦＦと判断された場合（Ｙｅｓ）には処理を終了し、電源ＯＦＦと判断されなかった場合（Ｎｏ）にはステップ３０１からステップ３１４の処理を繰り返す。
【００４０】
上記のような制御装置１４による露出制御は、スルー画像表示および撮影時においては撮像レンズ２０（レンズ制御部２４）から入力される光透過特性情報に基づいて、被写体輝度と出力との対応関係が均一になるように評価値出力を補正する一方、ＡＦ制御に用いる情報を得るためのＡＦ用撮像時には光透過特性に基づく評価値出力の補正を行わず、適用するＡＦエリア３を含む分割領域２（０，３）を適正露出とする。
これにより、ＡＦ制御は、光透過特性補正されていない画像情報に基づいて行われることとなり、補正によるノイズの影響を抑えた精度の高いＡＦ制御を行うことができる。なお、ＡＦ露出制御におけるＡＦ時露出条件の決定に際しては、ＡＶ，ＴＶ，ＳＶの何れをどのように変更するかは任意である。
【００４１】
すなわち、光透過特性補正は、低い出力を増幅して（ゲインをかけて）所定の出力に均一化する。その結果、図７中ノイズＮで示すように、ノイズも同様に（同じ割合で）増幅される。このように増幅されたノイズを含む画像情報に基づいてＡＦ制御を行うと、ノイズによってＡＦ精度が劣化する虞がある。特に、適用するＡＦエリア３が撮影画面の周辺部に位置する場合には、周辺減光の影響が大きく劣化が著しい。
【００４２】
これに対して、本構成では、ＡＦ制御に用いる情報を得るＡＦ用撮像時には、光透過特性補正の補正を行わずに適用ＡＦエリア３を含む分割領域２（０，３）が適正露出となる撮像を行う。ＡＦエリア３を含む分割領域２（０，３）が暗い場合には、蓄積時間（ＴＶ），絞り値（ＡＶ）およびまたは感度（ＳＶ）を変えて適正露出の撮像を行うが、その場合におけるノイズの増加は、図７中ノイズｎで示すように、前述のノイズＮより少ない。従って、ノイズによるＡＦ精度の劣化を抑えることができる。
【００４３】
以上、本実施形態によると、以下の効果を有する。
（１）カメラ１は、制御装置１４が、スルー画像表示および撮影時においては撮像レンズ２０から入力される光透過特性情報に基づいて、被写体輝度と出力との対応関係が均一になるように評価値出力を補正する一方、ＡＦ制御に用いる情報を得るためのＡＦ用撮像時には光透過特性に基づく評価値出力の補正を行わず、適用するＡＦエリア３を含む分割領域２（０，３）を適正露出とする。これにより、ＡＦ制御は、光透過特性補正されていない画像情報に基づいて行われることとなり、補正によるノイズの影響を抑えた精度の高いＡＦ制御を行うことができる。
【００４４】
（２）カメラ１は、制御装置１４が、スルー画像表示および撮影時においては撮像レンズ２０から入力される光透過特性情報に基づいて、被写体輝度と出力との対応関係が均一になるように評価値出力を補正する。これにより、交換された撮像レンズ２０に対して常に正確な補正が可能となる。
【００４５】
（変形形態）
以上、説明した実施形態に限定されることなく、以下に示すような種々の変形や変更が可能であり、それらも本発明の範囲内である。
（１）上記実施形態は、本発明をコントラストＡＦによってＡＦ制御を行うカメラ１に適用したものであるが、撮像素子１１の画素を用いて位相差を検出する位相差検出方式のＡＦ制御のカメラに適用しても良い。
【００４６】
（２）上記実施形態では、制御装置１４は、撮像レンズ２０における撮像光学系の光透過特性に関する情報に基づいて評価値補正して露出制御を行うが、撮像レンズ２０から得る補正の為の制御情報は、たとえば、撮像光学系の絞り開口値とする等、被写体光量に影響を与えるものであれば適用可能である。
【００４７】
（３）上記実施形態では、ＡＦ制御に用いる情報を得るためのＡＦ用撮像時には光透過特性に基づく評価値出力の補正を全く行っていない。しかし、ノイズ量等の要因が許容される範囲であれば、補正を行う構成としても良い。
（４）上記実施形態は、カメラ本体１０と着脱可能な撮像レンズ２０とにより構成されたカメラ１に本発明を適用した例である。しかし、本発明は、これに限らず、レンズ一体型のカメラに適用しても良い。
【００４８】
なお、実施形態及び変形形態は、適宜組み合わせて用いることもできるが、詳細な説明は省略する。また、本発明は以上説明した実施形態によって限定されることはない。
【符号の説明】
【００４９】
１：カメラ、１０：カメラ本体、１０Ｍ：ボディマウント、１１：撮像素子、１２：レリーズボタン、１３：表示部、１４：制御装置、１４Ａ：情報取得部、１４Ｂ：測光部、１４Ｃ：補正部、１４Ｄ：露出制御部、２０：撮像レンズ、２２：レンズ群、２２Ｂ：第２レンズ群、２３：絞りユニット、２４：レンズ制御部、２５：ＡＦ駆動機構
【図１】
2013016927.tif 000003
【図２】
2013016927.tif 000004
【図３】
2013016927.tif 000005
【図４】
2013016927.tif 000006
【図５】
2013016927.tif 000007
【図６】
2013016927.tif 000008
【図７】
2013016927.tif 000009